(57)【要約】【課題】保管スペースを抑え、かつ、作業性及び携帯性に優れるとともに、使い勝手を向上させる工夫がなされた紐ガイドを提供する。【解決手段】紐が無芯状態で中空玉巻に巻回された玉巻紐９の軸芯側から引き出された紐Ｓを案内する紐ガイド１において、玉巻紐９から引き出された紐Ｓを、その一部と接触しながら挿通させるガイド部材２と、ガイド部材２を玉巻紐９に取り付ける両面テープ３１とを備えたものである。ガイド部材２は、直線状に延在する管状であって、紐Ｓが挿通する挿通空間Ｒを画定するとともに紐Ｓの一部が接触する内周面２ａを有するものであってもよい。【選択図】図１
2019048665.tif 000002
【特許請求の範囲】
【請求項１】
紐が無芯状態で中空玉巻に巻回され軸芯部分が中空となった略円柱形であって、平面状の平面部と円柱面状の曲面部を有する玉巻紐の軸芯側から引き出された紐を案内する紐ガイドにおいて、
前記玉巻紐から引き出された前記紐を、その一部と接触しながら挿通させるガイド部材と、
前記ガイド部材を前記玉巻紐に取り付ける取付手段とを備えたものであり、
前記ガイド部材は、可撓性のある素材で構成された直線状に延在する管状のものであって、前記紐が挿通する挿通空間を画定するとともに該紐の一部が接触する内周面と、平面状の取付面を有するものであり、
前記取付手段は、前記玉巻紐の前記曲面部に前記取付面を着脱可能に取り付けるものであることを特徴とする紐ガイド。
【請求項２】
前記ガイド部材は、裏側に前記取付面を有する底部と、本体部とが一体に形成されたものであり、
前記内周面は、前記底部のおもて面と、前記本体部の内面とによって構成されたものであり、
前記本体部は、前記紐を前記挿通空間に差し込むための、前記ガイド部材が延在する方向に沿った切込が形成されたものであることを特徴とする請求項１記載の紐ガイド。
【請求項３】
前記ガイド部材は、裏側に前記取付面を有する底部と、本体部とが一体に形成されたものであり、
前記内周面は、前記底部のおもて面と、前記本体部の内面とによって構成されたものであり、
前記本体部は、その上側部分が、先端部分が重なった一対の被覆片で構成され、該一対の被覆片の間から前記紐を前記挿通空間に差し込むことができるものであることを特徴とする請求項１記載の紐ガイド。
【発明の詳細な説明】
【技術分野】
【０００１】
本発明は、玉巻紐から引き出された紙紐やビニール紐等を案内する紐ガイドに関する。
【背景技術】
【０００２】
紙紐やビニール紐は、新聞紙等の古紙や雑誌、書籍あるいは段ボール箱の結束等に広く用いられている。以下、紙紐やビニール紐等の紐を単に紐と総称することがある。これらの紐は、一般的には無芯状態で中空玉巻に巻回された玉巻紐として販売されており、使用者は、玉巻紐の軸芯側から紐を引き出して使用する。
【０００３】
しかしながら、紐を引き出そうとした際のちょっとした力加減で意図した以上に長く引き出されてしまうことが多く、しかも一旦引き出された紐は元に戻すことが難しい。この結果、使用後においても所定長さの紐が引き出された状態のままとなり、見た目が悪くなるとともに、次回使用する際に紐どうしが絡まってしまうなどの問題が生じる。このため、紐の取り出し口を備え、玉巻紐を収納する収納ケースが各種提案されている（例えば特許文献１や特許文献２等参照）。
【０００４】
特許文献１に記載された収納ケースは、玉巻紐の収納ケースにおける蓋の天板部分に取り出し口が設けられており、この取り出し口から紐が取り出されて使用されるものである。使用後は蓋の側壁部分に設けられたカッターによって紐が切断される。また、カッターによって切断された紐は、その全周が取り出し口に接触するように差し込まれて立ち上がった状態で保持される。
【０００５】
特許文献２に記載された収納ケースは、天板の中央部分に平面視円形の開口が形成されたケースと、このケースに収容された玉巻紐の中空の軸芯部分に立設し開口から上方に突出した筒状部材とを有するものである。玉巻紐から引き出された紐は、開口の筒状部材との隙間から取り出され、使用後は、筒状部材の上端部分に形成されたスリットに紐が係止される。
【０００６】
特許文献１や特許文献２に記載された収納ケースによれば、玉巻紐から引き出された紐が収納ケース内に収まるため、見た目が悪くなるといった問題を解消することができる。
【先行技術文献】
【特許文献】
【０００７】
【特許文献１】特開２０１０−０９５２５８号公報
【特許文献２】実用新案登録第３１５６０９０号公報
【発明の概要】
【発明が解決しようとする課題】
【０００８】
しかしながら、特許文献１や特許文献２に記載された収納ケースでは、見た目が悪くなるといった問題は解消するものの、嵩張って保管スペースが大きくなってしまう。また、持ちながら使用するには不向きであるとともに持ち運びにくく、作業性及び携帯性に劣る。さらに、収納ケース内に玉巻紐を収納し、紐を取り出し口にセットする操作が煩雑である。またさらに、特に特許文献２に記載の収納ケースにおいては、使用後は筒状部材のスリットに紐を係止させるため、次回の使用時にはスリットから紐を外す操作が必要になる等、使い勝手の点で改善の余地がある。
【０００９】
本発明は上記事情に鑑み、保管スペースを抑え、かつ、作業性及び携帯性に優れるとともに、使い勝手を向上させる工夫がなされた紐ガイドを提供することを目的とする。
【課題を解決するための手段】
【００１０】
上記目的を解決する本発明の紐ガイドは、紐が無芯状態で中空玉巻に巻回され軸芯部分が中空となった略円柱形であって、平面状の平面部と円柱面状の曲面部を有する玉巻紐の軸芯側から引き出された紐を案内する紐ガイドにおいて、
前記玉巻紐から引き出された前記紐を、その一部と接触しながら挿通させるガイド部材と、
前記ガイド部材を前記玉巻紐に取り付ける取付手段とを備えたものであり、
前記ガイド部材は、可撓性のある素材で構成された直線状に延在する管状のものであって、前記紐が挿通する挿通空間を画定するとともに該紐の一部が接触する内周面と、平面状の取付面を有するものであり、
前記取付手段は、前記玉巻紐の前記曲面部に前記取付面を着脱可能に取り付けるものであることを特徴とする。
【００１１】
ここで、前記紐は、紙紐や麻紐であってもよいし、ポリプロピレン樹脂などの合成樹脂製のビニール紐であってもよい。
【００１２】
本発明の紐ガイドによれば、前記ガイド部材が、前記玉巻紐から引き出された前記紐を、その一部と接触しながら挿通させるため、接触した部分の摩擦力によって、該紐が不用意に長く引き出されてしまうことが抑えられる。これにより、前記紐が不必要に長く引き出された状態となって見た目が悪くなってしまうといった問題を解消することができる。
【００１３】
また、前記ガイド部材は、前記取付手段によって前記玉巻紐に取り付けられるため、前述した特許文献１や特許文献２に記載された、玉巻紐全体を収納する収納ケースと比べ、嵩張ることがなく保管スペースを抑えることができる。さらに、使用者は、前記玉巻紐自体を持つことができるため、該玉巻紐を持ちながらの作業や持ち運びが容易になり、作業性及び携帯性を格段に向上させることができる。
【００１４】
またさらに、前記紐をセットするには、該紐を前記ガイド部材に挿通させるだけでよい。しかも、引き出された前記紐は、その一部が前記ガイド部材に接触しているだけであるため、次回の使用時には、特許文献２記載の収納ケースのようにスリットから紐を外すといった操作が不要で、紐を摘まんでそのまま引き出せばよい。また、紐が取り出し口に差し込まれて立ち上がった状態で保持される特許文献１記載の収納ケースと比べても、紐を引き出しやすく、使い勝手に優れたものである。
【００１５】
前記内周面を有することで、前記玉巻紐から引き出された前記紐が該内周面に接触しやすくなり、該紐が、意図した以上に長く引き出されてしまうことをより安定して防ぐことができる。これにより、前記紐が必要以上に長く引き出されて該紐どうしが絡まってしまうといった不具合も解消することが可能になる。
【００１６】
ここで、前記ガイド部材は、ゴムやシリコン、あるいは防振ゴムなどに利用されるスチレン系ポリマー等、摩擦係数が大きい素材で構成することが好ましい。なお、前記ガイド部材を、樹脂等の摩擦係数が小さい素材で構成した場合には、前記内周面に滑り止め用の塗料を塗布したり摩擦係数が大きい素材をコーティングする等の滑り止め加工を施すことが好ましい。
【００１７】
前記内周面は、前記玉巻紐に取り付けられる前における、前記ガイド部材の延在方向と直交する方向の断面形状が、弓形、半円形、円形又は蒲鉾形である態様も好ましい態様の一つである。
【００１８】
ここで、可撓性のある素材とは、ゴム、シリコン、スチレン系ポリマーあるいはポリエチレンやポリプロピレン、塩化ビニル樹脂等の合成樹脂であってもよい。
【００１９】
前記ガイド部材を可撓性のある素材で構成することで、円柱面状の前記玉巻紐の外周面に倣って変形し、該ガイド部材の取付状態が安定する。さらに、前記紐を引き出す際に指で押えて前記ガイド部材を潰せば、該紐の引き出しを瞬時に停止さる、いわゆるストッパ機能も発揮させることができる。またさらに、いわゆる、自動車操作の半クラッチ状態のように、前記ガイド部材を潰して該紐を押えながら少しずつ該紐を引き出すことで、不用意な該紐の引き出しを、より効果的に防止することができる。
【００２０】
また、前記内周面の前記断面形状が弓形、半円形、円形又は蒲鉾形である態様を採用すれば、前記紐の接触を確保しつつ、前記ガイド部材の材料の節約にもつながる。
【００２１】
前記ガイド部材が平面状の取付面を有し、前記取付手段として前記両面テープを採用すれば、前記ガイド部材を前記玉巻紐に安定して取り付けることができるとともに、該玉巻紐を使い終わった後には新しい玉巻紐に容易に付け替えることができる。また、前記玉巻紐に対する前記紐ガイドの姿勢を変更して付け変えることによって、引き出した前記紐と前記ガイド部材との接触状態を変更することができ、例えば、該紐が引き出しやすい状態と、この状態よりも引き出しにくい状態とに切り替えることもできる。なお、前記両面テープの粘着力が弱まってきた場合には、新しい紐ガイドと取り替えてもよいが、該両面テープの粘着面を水洗いし良く乾かすことで粘着力を回復させ、再使用（リユース）することが、自然環境保全（エコ）の点で好ましい。なお、前記両面テープのみを新しいものと交換して再使用してもよい。
【００２２】
また、本発明の紐ガイドにおいて、前記ガイド部材は、裏側に前記取付面を有する底部と、本体部とが一体に形成されたものであり、
前記内周面は、前記底部のおもて面と、前記本体部の内面とによって構成されたものであり、
前記本体部は、前記紐を前記挿通空間に差し込むための、前記ガイド部材が延在する方向に沿った切込が形成されたものであってもよい。
【００２３】
さらに、本発明の紐ガイドにおいて、前記ガイド部材は、裏側に前記取付面を有する底部と、本体部とが一体に形成されたものであり、
前記内周面は、前記底部のおもて面と、前記本体部の内面とによって構成されたものであり、
前記本体部は、その上側部分が、先端部分が重なった一対の被覆片で構成され、該一対の被覆片の間から前記紐を前記挿通空間に差し込むことができるものであってもよい。
【発明の効果】
【００２４】
本発明の紐ガイドによれば、保管スペースを抑え、かつ、作業性及び携帯性に優れるとともに、使い勝手を向上させる工夫がなされた紐ガイドを提供することができる。
【図面の簡単な説明】
【００２５】
【図１】（ａ）は、本発明の紐ガイドを玉巻紐に取り付けた状態を示す側面図であり、（ｂ）は、（ａ）の平面図である。
【図２】（ａ）は、本発明の紐ガイドの、玉巻紐に取り付ける前の状態を、ガイド部材の延在方向から見た図である。（ｂ）は、（ａ）に示す紐ガイドを、包装フィルムの曲面部に取り付けた様子を示す図である。
【図３】図１（ｂ）のＡ−Ａ線断面図である。
【図４】図１に示す紐ガイドの使用方法の一例を示す図である。
【図５】図１に示す紐ガイドの他の使用方法の例を示す図である。
【図６】他の実施形態の紐ガイドについて、図２（ａ）に対応する状態を示す図である。
【発明を実施するための形態】
【００２６】
以下、図面を参照して本発明の実施の形態を説明する。本実施形態では、本発明の紐ガイドを、紙紐が巻回され包装フィルムで包装された玉巻紐に利用する態様を例に挙げて説明する。なお、紐の種類は限定されるものではなく、ポリプロピレン樹脂などの合成樹脂製のビニール紐や麻紐であってもよい。また、本発明の紐ガイドは、包装フィルム等で包装されていない玉巻紐にも利用することができる。
【００２７】
図１（ａ）は、本発明の紐ガイド１を玉巻紐９に取り付けた状態を示す側面図であり、同図（ｂ）は、同図（ａ）の平面図である。
【００２８】
玉巻紐９は、紐Ｓが無芯状態で中空玉巻に巻回されたものである。また、図１（ａ）及び同図（ｂ）に示すように、玉巻紐９は、平面視における中央部分が空洞となった略円柱状のものであり、図では符号を省略しているが、図１（ａ）では上下の面となる、平面状の平面部と、図１（ａ）では側面となる、円柱面状の曲面部を有している。本実施形態の玉巻紐９は、例えばシュリンク包装の包装フィルム９１によって包装されており、この包装フィルム９１には、図１（ａ）では上下の面となる、平面状の平面部９１１，９１２と、円柱面状の曲面部９１３が形成されている。紐Ｓは、軸芯側（平面視における中央側）から、包装フィルム９１の平面部９１１における開口９１１ａを通って引き出される。
【００２９】
紐ガイド１は、ガイド部材２と、取付手段としての両面テープ３１とを備えている。ガイド部材２は、直線状に延在する管状のものであり、図１（ａ）では、その延在方向が鉛直方向に沿う姿勢で、両面テープ３１によって包装フィルム９１の曲面部９１３に取り付けられている。玉巻紐９から引き出された紐Ｓは、ガイド部材２に挿通され、紐Ｓの先端部分Ｓ１がガイド部材２から下方に露出している。
【００３０】
なお、取付手段として、図１（ａ）において一点鎖線で示すように、包装フィルム９１の曲面部９１３に巻き掛けられるゴムバンド３２や、長さ調整可能なベルト部材（図示省略）を用いることができる。ここで、玉巻紐９は、紐Ｓを引き出し巻回されている紐Ｓの量が減少するにつれて玉巻紐９自体の強度が低下するため、取付手段としてゴムバンド３２を用いた場合には、玉巻紐９が潰れて外観を損ねてしまう虞がある。また、取付手段として長さ調整可能なベルト部材を用いた場合には、玉巻紐９を潰さないように玉巻紐９に取り付ける長さ調整が難しい。これに対し、包装フィルム９１に直接取り付ける、図１記載の両面テープ３１や、詳しくは後述する面ファスナ３３（図６参照）等を取付手段に採用すれば、玉巻紐９自体の強度が低下しても、外観を損ねずに取付状態を維持することができる。
【００３１】
図２（ａ）は、本発明の紐ガイド１の、玉巻紐９に取り付ける前の状態を、ガイド部材２の延在方向から見た図である。すなわち、図２（ａ）は、紙面と直交する方向がガイド部材２の延在方向になり、本発明の紐ガイド１の、玉巻紐９に取り付ける前の状態を、図１（ｂ）に示す紐ガイド１と同じ方向から見た図である。
【００３２】
図２（ａ）に示すように、ガイド部材２は、平板状の底部２１と、この底部２１からドーム状に設けられた本体部２２とが一体に形成されたものである。また、底部２１のおもて面２１１と、本体部２２との内面２２１とによって内周面２ａが構成され、この内周面２ａによって挿通空間Ｒが画定されている。本実施形態では、ガイド部材２の内周面２ａは、ガイド部材２の延在方向と直交する方向の断面形状が弓形に形成されている。底部２１は、その裏側に平面状の取付面２１２を有しており、この取付面２１２に両面テープ３１が貼り付けられている。
【００３３】
本実施形態のガイド部材２は、可撓性があり摩擦係数が大きい素材、例えばゴムやシリコンで構成されており、玉巻紐９の外周形状に倣って変形させやすいとともに、詳しくは後述するように、内周面２ａに接触した紐Ｓに対して摩擦力を付与しやすくなる。なお、ガイド部材２は、例えば押出成形によって容易に製造することができる。
【００３４】
図２（ｂ）は、同図（ａ）に示す紐ガイド１を、包装フィルム９１の曲面部９１３に取り付けた様子を示す図である。なお、図２（ｂ）では、玉巻紐９について包装フィルム９１の曲面部９１３の一部を示している。
【００３５】
図２（ａ）に示す両面テープ３１から剥離紙３１１を剥がし、両面テープ３１を曲面部９１３に貼り付けて紐ガイド１を玉巻紐９に取り付けると、ガイド部材２は、曲面部９１３の形状に倣って変形し、内周面２ａは、弓形からいわゆる三日月形に変化する。なお、本実施形態では、ガイド部材２が、平面状の取付面２１２を有しているため、曲面部９１３に対し、両面テープ３１によって安定して取り付けることができる。
【００３６】
また、図２（ｂ）の矢印で示すように、ガイド部材２の本体部２２を指で押えることで、一点鎖線で示すように本体部２２が変形し、挿通空間Ｒに挿通された紐Ｓを押さえつけることもできる。
【００３７】
図３は、図１（ｂ）のＡ−Ａ線断面図である。
【００３８】
図３に示すように、玉巻紐９の軸芯側から引き出された紐Ｓは、ガイド部材２の挿通空間Ｒに挿通され、先端部分Ｓ１がガイド部材２から下方に露出した状態になっている。このように、紐ガイド１では、紐Ｓをガイド部材２の挿通空間Ｒに挿通するだけでセットされるため、操作が非常に容易である。引き出された紐Ｓは、玉巻に巻回されていたときの巻き癖がついており、様々な方向に湾曲したり屈曲した状態になっている。このため、紐Ｓは、その一部が、ガイド部材２の内周面２ａに接触した状態になる。図３に示す例では、内周面２ａの上側の部分と下側の部分の２カ所に、それぞれ紐Ｓの一部が接触している。具体的には、本体部２２の内面２２１における上側の部分と、底部２１のおもて面２１１における下側の部分に、それぞれ紐Ｓの一部が接触している。なお、紐Ｓの種類や巻き癖の状態等によって紐Ｓの一部が内周面２ａに接触する部分の位置や数は異なるが、少なくとも１カ所で接触していればよい。本実施形態のガイド部材２は管状のものであるため、内周面２ａの面積が確保され、紐Ｓの一部が内周面２ａのどこかの部分に接触しやすくなる。
【００３９】
紐Ｓの接触を十分に確保するためには、ガイド部材２の延在方向の長さは、１０ｍｍ以上とすることが好ましい。さらに、ガイド部材２の延在方向の長さを２０ｍｍ以上（一般的な女性の親指の幅以上）とすれば、詳しくは後述するようにガイド部材２を親指等で押えやすくなるとともに、紐Ｓの一部が内周面２ａの複数の部分に接触しやすくなり、より好ましい。また、例えば紐Ｓが紙紐である場合には、挿通空間Ｒにおける、ガイド部材２の延在方向と直交する方向の面積を、紐Ｓの断面積の１０倍以下とすることが好ましい。
【００４０】
図３に示す状態では、紐Ｓの一部が内周面２ａに接触しているため、接触している部分に摩擦力が生じている。このため、使用者が玉巻紐９を持って移動した場合であっても、紐Ｓが不用意に玉巻紐９から引き出されてしまうことを抑えることができる。特に本実施形態では、ガイド部材２を摩擦係数が大きいゴムやシリコンで構成しているため、紐Ｓの不用意な引き出しを抑える効果は大きい。
【００４１】
使用者が、紐Ｓの先端部分Ｓ１を摘まんで矢印のように紐Ｓを引っ張ると、紐Ｓは、二点鎖線で示すように、その一部が内周面２ａに接触しながら引き出される。紐Ｓを引き出す際に紐Ｓの一部が内周面２ａに接触する部分は、紐Ｓを引っ張る方向等によって異なるが、図３では、ガイド部材２の延在方向と略直交する方向に引き出しているため、紐Ｓの一部が内周面２ａの下端部分に接触している。
【００４２】
使用者が紐Ｓを引っ張ることを止めると紐Ｓは実線で示す状態に戻る。図３に示す例では、内周面２ａの上側の部分と下側の部分の２カ所に、それぞれ紐Ｓの一部が接触する。これにより、使用者が意図した以上に紐Ｓが玉巻紐９から引き出されてしまうことが抑えられる。この結果、使用後においても紐Ｓが長く引き出されて見た目が悪くなってしまうといった不具合や、紐Ｓどうしが絡まってしまうといった問題も解消することが可能になり、紐Ｓの先端部分Ｓ１が分からず探さなければならないといった手間もなくなる。また、図２（ｂ）を用いて前述したように、ガイド部材２の本体部２２を親指等で押えて挿通空間Ｒに挿通された紐Ｓを押さえつけることによって、より確実に、かつ瞬時に紐Ｓの引き出しを停止することもできる。さらに、いわゆる、自動車操作の半クラッチ状態のように、玉巻紐９を持つ手の親指等でガイド部材２を潰して紐Ｓを押えながら、他方の手の指で紐Ｓの先端部分Ｓ１を摘まんで少しずつ引っ張ることで、引き出される量を調整しながら紐Ｓを引き出すことができる。これにより、意図した以上に紐Ｓが引き出されてしまうことを、より効果的に防止することができる。
【００４３】
さらに、紐Ｓの一部が内周面２ａに接触しているだけであるため、使用者が紐Ｓを引っ張る際に、前述した特許文献２記載の収納ケースのように、スリットから紐を外すといった操作等が不要となり、使い勝手が非常に良いものである。なお、スムーズな紐Ｓの引き出しを確保するためには、例えば紐Ｓが紙紐である場合には、挿通空間Ｒにおける、ガイド部材２の延在方向と直交する方向の面積を、紐Ｓの断面積の２倍以上とすることが好ましい。こうすることで、挿通空間Ｒに紐Ｓを挿通する操作も行いやすくなる。また、挿通空間Ｒを十分確保する態様を採用すれば、空いた空間にハサミ等を差し込んでおくことも可能になる。
【００４４】
なお、使用者が玉巻紐９を持ちながら紐Ｓを引き出す場合には、図３に示す状態から姿勢が変化するが、紐Ｓの一部が内周面２ａに接触する状態等は同様であり、紐Ｓの不用意な引き出しを抑えることができるといった略同じ効果を奏することができる。
【００４５】
図４は、図１に示す紐ガイド１の使用方法の一例を示す図である。
【００４６】
前述したように、紐ガイド１は、両面テープ３１（図２（ｂ）等参照）によって包装フィルム９１の曲面部９１３に着脱可能に取り付けられている。このため、図４に示すように、玉巻紐９に対する紐ガイド１の姿勢を変えて、曲面部９１３に紐ガイド１を取り付けることができる。これにより、図３を用いて前述した紐Ｓと内周面２ａとの接触状態を変化させ、摩擦力を調整することもできる。また、玉巻紐９の紐Ｓの残量、使用者の作業の仕方や癖、例えば紐Ｓの引き出し方等に応じて、玉巻紐９に対する紐ガイド１の姿勢を変えることもできる。
【００４７】
図５は、図１に示す紐ガイド１の他の使用方法の例を示す図である。
【００４８】
図５に示すように、玉巻紐９は、軸芯が水平方向に延在する姿勢となるように、例えばフック４等に引っかけた状態で紐Ｓを引き出すこともできる。図５に示す使用例では、垂直な姿勢となる、包装フィルム９１の平面部９１１に紐ガイド１を取り付けてもよい。なお、図５では、ガイド部材２の内周面２ａが一端側（図５では下端側）に向けて先細りする形状に形成されている。また、包装フィルム９１の平面部９１１における開口９１１ａ周りを挟み込むクリップを取付手段に採用し、紐ガイド１を取り付けてもよい。
【００４９】
次いで、図１〜図５に示す第１実施形態の紐ガイド１の他の実施形態について説明する。以下の他の実施形態についての説明では、これまで説明してきた第１実施形態の紐ガイド１との相違点を中心に説明し、重複する説明は省略することがある。また、第１実施形態の紐ガイド１の構成要素の名称と同じ名称の構成要素には、これまで用いた符号を付して説明する。
【００５０】
図６は、他の実施形態の紐ガイド１について、図２（ａ）に対応する状態を示す図である。
【００５１】
図６（ａ）は、第２実施形態の紐ガイド１を示しており、この紐ガイド１では、取付手段として面ファスナ３３を採用している。面ファスナ３３の一方は、ガイド部材２の底部２１における取付面２１２に貼着され、面ファスナ３３の他方は、包装フィルム９１の曲面部９１３（図２（ｂ）等参照）に貼着され、これらが重ねられることで紐ガイド１が玉巻紐９に取り付けられる。
【００５２】
また、第２実施形態の紐ガイド１では、ガイド部材２の内周面２ａは、ガイド部材２の延在方向と直交する方向の断面形状が、蒲鉾形状に形成されている。なお、ガイド部材２の内周面２ａは、ガイド部材２の延在方向と直交する方向の断面形状を半円形に形成してもよい。また、ガイド部材２の本体部２２における、図では上端部分に切込２２２が形成されている。このため、本実施形態では、この切込２２２から紐Ｓを挿通空間Ｒに差し込むことができる。なお、切込２２２を形成する位置は特に限定されず、図では一点鎖線で示すように、本体部２２の横側の部分に形成してもよい。
【００５３】
図６（ｂ）は、第３実施形態の紐ガイド１を示しており、この紐ガイド１では、取付手段として吸盤３４を採用している。複数の吸盤３４が、ガイド部材２の底部２１における取付面２１２に取り付けられており、これら複数の吸盤３４を、包装フィルム９１の曲面部９１３に吸着させることで紐ガイド１が玉巻紐９に取り付けられる。
【００５４】
また、第３実施形態の紐ガイド１では、ガイド部材２の本体部２２の上側部分が、先端部分が重なった一対の被覆片２２３，２２３で構成されている。このため、本実施形態では、一対の被覆片２２３，２２３の間から紐Ｓを挿通空間Ｒに差し込むことができる。また、一対の被覆片２２３，２２３は、先端部分が重なっているため挿通空間Ｒに挿入された紐Ｓが、一対の被覆片２２３，２２３の間から不用意に抜けてしまうことが防止される。
【００５５】
図６（ｃ）は、第４実施形態の紐ガイド１を示しており、この紐ガイド１では、取付手段としてボタン部材３５を採用している。ボタン部材３５の雄部３５１は、ガイド部材２の底部２１における取付面２１２に取り付けられ、ボタン部材３５の雌部３５２は、包装フィルム９１の曲面部９１３に貼着され、これらが嵌め込まれることで紐ガイド１が玉巻紐９に取り付けられる。
【００５６】
また、第４実施形態の紐ガイド１では、ガイド部材２の内周面２ａは、ガイド部材２の延在方向と直交する方向の断面形状が円形に形成されている。このため、図では両矢印で示すように、ガイド部材２の底部２１における両側部分が肉厚になり、包装フィルム９１の曲面部９１３に追従しにくくなる虞があるとともに、材料コストが嵩んでしまう。このため、図では一点鎖線で示すように、ボタン部材３５の雄部３５１が取り付けられる取付面２１２を残して、底部２１における両側部分を円弧状に形成してもよい。
【００５７】
図６（ｄ）は、第５実施形態の紐ガイド１を示しており、この紐ガイド１では、取付手段として、図では左右一対の鈎部３６，３６を採用している。ガイド部材２の底部２１における取付面２１２に取り付けられた一対の鈎部３６，３６を、包装フィルム９１の曲面部９１３に引っかけて紐ガイド１が玉巻紐９に取り付けられる。
【００５８】
また、第５実施形態の紐ガイド１では、ガイド部材２の内周面２ａは、ガイド部材２の延在方向と直交する方向の断面形状が略矩形に形成されている。これにより、ガイド部材２の構造が非常に簡単になって製造がより一層容易になるものの、図では上側の角部付近に紐Ｓが接触しにくい部分が生じてしまうといった若干の不具合がある。
【００５９】
以上説明したように、本発明の紐ガイド１は、保管スペースを抑え、かつ、作業性及び携帯性に優れるとともに、使用時の使い勝手を向上させることができる。
【００６０】
本発明は前述の実施形態に限定されることなく特許請求の範囲に記載した範囲で種々の変更を行うことができる。例えば、本実施形態では、包装フィルム９１によって包装された玉巻紐９に紐ガイド１を取り付ける態様を例に挙げて説明したが、包装されていない玉巻紐９に紐ガイド１を取り付けてもよい。この態様の場合には、取付手段として、ゴムバンド３２やベルト等を採用することが好ましいが、両面テープ３１等を取付手段に採用した場合であっても、その粘着力を強くする等して、巻回されている紐Ｓに紐ガイド１を直接取り付ければよい。
【００６１】
なお、以上説明した実施形態のいずれかにのみ含まれている構成要件であっても、その構成要件を、他の実施形態に適用してもよい。
【００６２】
以下、これまで説明したことを含めて付記する。
【００６３】
（付記１）他の紐ガイドは、紐が無芯状態で中空玉巻に巻回された玉巻紐の軸芯側から引き出された紐を案内する紐ガイドにおいて、
前記玉巻紐から引き出された前記紐を、その一部と接触しながら挿通させるガイド部材と、
前記ガイド部材を前記玉巻紐に取り付ける取付手段とを備えたものであることを特徴とする。
【００６４】
（付記２）付記１の紐ガイドにおいて、前記ガイド部材は、直線状に延在する管状であって、前記紐が挿通する挿通空間を画定するとともに該紐の一部が接触する内周面を有するものであってもよい。
【００６５】
（付記３）付記２記載の紐ガイドにおいて、前記ガイド部材は、可撓性のある素材で構成されたものであり、
前記内周面は、前記玉巻紐に取り付けられる前における、前記ガイド部材の延在方向と直交する方向の断面形状が、弓形、半円形、円形又は蒲鉾形であってもよい。
【００６６】
（付記４）付記１〜３のうちいずれか１つに記載の紐ガイドにおいて、前記ガイド部材は、平面状の取付面を有するものであり、
前記取付手段は、前記玉巻紐の包装フィルムに前記取付面を着脱可能に取り付ける両面テープであってもよい。
【符号の説明】
【００６７】
１  紐ガイド
２  ガイド部材
２ａ  内周面
２１  底部
２１１  おもて面
２１２  取付面
２２  本体部
２２１  内面
３１  両面テープ
３２  ゴムバンド
３３  面ファスナ
３４  吸盤
３５  ボタン部材
３６  鈎部
９  玉巻紐
９１  包装フィルム
９１３  曲面部
Ｒ  挿通空間
Ｓ  紐
【図１】
2019048665.tif 000003
【図２】
2019048665.tif 000004
【図３】
2019048665.tif 000005
【図４】
2019048665.tif 000006
【図５】
2019048665.tif 000007
【図６】
2019048665.tif 000008